(57)【要約】      （修正有）【課題】視聴位置に対するスピーカーの最適な再配置を簡易に行うスピーカーシステムを提供する。【解決手段】建物の居室の周囲に配設された複数ｍ個のスピーカーと、前記複数ｍよりも少ない複数ｎチャンネルを含み且つ前記居室に配設された多チャンネル音源（音源ユニットの多チャンネル音源）と前記複数ｍ個のスピーカーとを切り替え接続する音源接続ユニット（接続切換ボックス）とを備えている。しかも、前記音源接続ユニット（接続切換ボックス）は、前記多チャンネル音源からの複数ｎ多チャンネル用の複数の音声信号がそれぞれ入力される複数ｎ組の複数の音源側接続端子と、前記複数ｍ個のスピーカーに前記複数の音声信号を分配する複数ｍ組のスピーカー側接続端子と、前記音源側接続端子と前記スピーカー側接続端子の複数ｘ個（ｘは複数ｎ個以上で複数ｍ個以下）を接続して複数ｘ個のスピーカーを特定するアサイン回路を備えている。【選択図】図３
2007104391.tif 000002
【特許請求の範囲】
【請求項１】
建物の居室の周囲に間隔をおいて配設された複数ｍ個のスピーカーと、前記複数ｍよりも少ない複数ｎチャンネルを含み且つ前記居室に配設された多チャンネル音源と前記複数ｍ個のスピーカーとを切り替え接続する音源接続ユニットと、を備えるスピーカーシステムであって、
前記音源接続ユニットは、前記多チャンネル音源からの複数ｎ多チャンネル用の複数の音声信号がそれぞれ入力される複数ｎ組の複数の音源側接続端子と、前記複数ｍ個のスピーカーに前記複数の音声信号を分配する複数ｍ組のスピーカー側接続端子と、前記音源側接続端子と前記スピーカー側接続端子の複数ｘ個（ｘは複数ｎ個以上で複数ｍ個以下）を接続して複数ｘ個のスピーカーを特定するアサイン回路と、を備えていることを特徴とするスピーカーシステム。
【請求項２】
前記アサイン回路は前記音源側接続端子と前記スピーカー側接続端子とを前記居室内の視聴位置に応じて接続する接続回路を有することを特徴とする請求項１に記載のスピーカーシステム。
【請求項３】
前記複数ｘが前記複数ｍよりも小さい場合に、前記音源接続ユニットの前記アサイン回路が、複数（ｍ−ｘ）組の前記スピーカー側接続端子を短絡する短絡回路をさらに有することを特徴とする請求項１又は２に記載のスピーカーシステム。
【請求項４】
前記音源接続ユニットが、前記居室内の配置に応じた複数の前記アサイン回路を有し、前記複数の前記アサイン回路を切り換える切換手段を備えることを特徴とする請求項１〜３のいずれか一つに記載のスピーカーシステム。
【請求項５】
前記音源接続ユニットの前記アサイン回路が、前記接続回路ならびに前記ショート回路が構成された接続基板であることを特徴とする請求項１から３のいずれか一つに記載のスピーカーシステム。
【請求項６】
前記スピーカーは建物の天井側入隅に沿って配設されていることを特徴とする請求項１から４のいずれか一つに記載のスピーカーシステム。
【請求項７】
前記スピーカーは建物の床側入隅に沿って配設されていることを特徴とする請求項１から６のいずれか一つに記載のスピーカーシステム。
【発明の詳細な説明】
【技術分野】
【０００１】
この発明は、多チャンネル音源と複数のスピーカーとを切り替え接続する音源接続ユニットを備えるスピーカーシステムに関するものである。
【背景技術】
【０００２】
一般に、オーディオ機器等を有する住宅等においては、フロアにスピーカーを設置したり、床に配置したスピーカースタンドや棚もしくは家具の上等にスピーカーを載せたりするのが普通である。
【０００３】
また、スピーカーを天井から吊り下げたり、壁にスピーカーボックス取付用の金具を取り付けて、この金具にスピーカーを取り付けたりすることも行われている（例えば特許文献１参照）。
【０００４】
しかしながら、上述したようなスピーカーの配置では、スピーカーが露出しているため、室内美観を損なうものであった。
【０００５】
これを解決するものとしては、天井や壁に取付穴を開けて、この取付穴にスピーカーを埋め込んだりすることにより、スピーカーが露出しないようにすることも考えられている。
【特許文献１】特開２００３−５１６８７号公報
【発明の開示】
【発明が解決しようとする課題】
【０００６】
ところで、例えば天井にスピーカー用の取付穴を開ける場合には、天井の強度を損なわないようにするために、天井裏に張り巡らされた梁を避ける必要があった。
【０００７】
しかしながら、ＡＶシステムにおけるマルチチャンネルのスピーカーを設置する場合、ＡＶシステムのモニターテレビの位置によっては、センタースピーカーや左右のスピーカー或いはリヤスピーカー等を設置する際、スピーカーの幾つかの最適な設置場所は梁の位置に当たる場合があった。この場合、スピーカー全体の配置をシフトさせる必要があり、モニターテレビに対するスピーカーの配置が必ずしも映像に対する音の臨場感を満足させることができるものではなかった。
【０００８】
また、壁にスピーカーを埋設する場合に、壁パネルに取付穴を開けるため、地震に対する耐震性の劣化の懸念があった。
【０００９】
更に、部屋の模様替えによるモニターテレビの配置を変える場合には、スピーカーの配置を換える必要があるため、前のスピーカーを取り外して取付穴を塞いで、新たな取付穴を開ける必要があり、手間と余分な出費を余儀なくされるという問題があった。
【００１０】
そこで、この発明は、視聴位置が変わってもスピーカーの取り付け取り外し等を必要とせず、視聴位置に対するスピーカーの最適な再配置を簡易に行うことができるスピーカーシステムを提供することを目的とするものである。
【課題を解決するための手段】
【００１１】
この目的を達成するため、請求項１の発明は、建物の居室の周囲に間隔をおいて配設された複数ｍ個のスピーカーと、前記複数ｍよりも少ない複数ｎチャンネルを含み且つ前記居室に配設された多チャンネル音源と前記複数ｍ個のスピーカーとを切り替え接続する音源接続ユニットとを備えるスピーカーシステムであって、前記音源接続ユニットは、前記多チャンネル音源からの複数ｎ多チャンネル用の複数の音声信号がそれぞれ入力される複数ｎ組の複数の音源側接続端子と、前記複数ｍ個のスピーカーに前記複数の音声信号を分配する複数ｍ組のスピーカー側接続端子と、前記音源側接続端子と前記スピーカー側接続端子の複数ｘ個（ｘは複数ｎ個以上で複数ｍ個以下）を接続して複数ｘ個のスピーカーを特定するアサイン回路と、を備えているスピーカーシステムとしたことを特徴とする。
【００１２】
また、請求項２の発明は、前記アサイン回路が、前記音源側接続端子と前記スピーカー側接続端子とを前記居室内の視聴位置に応じて接続する接続回路を有することを特徴とする。
【００１３】
また、請求項３の発明は、前記複数ｘが前記複数ｍよりも小さい場合に、
前記音源接続ユニットの前記アサイン回路が、複数（ｍ−ｘ）組の前記スピーカー側接続端子を短絡する短絡回路をさらに有することを特徴とする。
【００１４】
更に、請求項４の発明は、前記音源接続ユニットが、前記居室内の配置に応じた複数の前記アサイン回路を有し、前記複数の前記アサイン回路を切り換える切換手段を備えることを特徴とする。
【００１５】
また、請求項５発明は、前記音源接続ユニットの前記アサイン回路が、前記接続回路ならびに前記ショート回路が構成された接続基板であることを特徴とする。
【００１６】
また、請求項６の発明は、前記スピーカーは建物の天井側入隅に沿って配設されていることを特徴とする。
【００１７】
また、請求項７の発明は、前記スピーカーは建物の床側入隅に沿って配設されていることを特徴とする。
【発明の効果】
【００１８】
請求項１の構成によれば、音源側接続端子とスピーカー側接続端子とを居室内の視聴位置に応じて接続するパターンが設けられたアサイン回路が設けられているので、視聴位置が変わってもスピーカーの取り付け取り外し等を必要とせず、視聴位置に対応するスピーカーの配置が最適なアサイン回路を用いて音源側接続端子とスピーカー側接続端子とを接続することにより、視聴位置に対するスピーカーの最適な再配置を簡易に行うことができる。
【００１９】
また、請求項２の構成によれば、音源側接続端子とスピーカー側接続端子とを視聴位置に応じて接続する接続回路が設けられているので、視聴位置が変わってもスピーカーの取り付け取り外し等を必要とせず、視聴位置に対応するスピーカーの配置が最適なアサイン回路を用いて音源側接続端子とスピーカー側接続端子とを接続することにより、視聴位置に対するスピーカーの最適な再配置を簡易に行うことができる。
【００２０】
また、請求項３の構成によれば、使用していないスピーカーはスピーカー側接続端子（＋−端子）が短絡しているので、使用するスピーカーが動作したときの音波によって使用していないスピーカー等が振動するのを未然に防止して、不要な音が発生するのを防止できる。
【００２１】
また、請求項４の構成によれば、前記居室内の配置に応じた複数の前記アサイン回路を有し、前記複数の前記アサイン回路を切り換える切換手段を有する構成としたので、視聴位置が変わってもスピーカーの取り付け取り外し等を必要とせず、視聴位置に対するスピーカーの最適な再配置を簡易に行うことができる。
【００２２】
また、請求項５の構成によれば、前記音源接続ユニットの前記アサイン回路が、前記接続回路ならびに前記ショート回路が構成された接続基板に設けられている構成としたので、異なるアサイン回路が設けられた複数の接続基板を用意しておいて、視聴位置が変わってもスピーカーの取り付け取り外し等を必要とせず、視聴位置に対応するスピーカーの配置が最適なアサイン回路を有する接続基板を用いて音源側接続端子とスピーカー側接続端子とを接続することにより、視聴位置に対するスピーカーの最適な再配置を簡易に行うことができる。
【００２３】
また、請求項６の構成によれば、前記スピーカーは建物の天井側入隅に沿って配設されているので、スピーカーを廻り縁内に配設することにより、美観を損なうことなくスピーカーを居室内に設けることができる。
【００２４】
また、請求項７の構成によれば、前記スピーカーは建物の床側入隅に沿って配設されているので、スピーカーを巾木内に配設することにより、美観を損なうことなくスピーカーを居室内に設けることができる。
【発明を実施するための最良の形態】
【００２５】
以下、この発明の実施の形態を図面に基づいて説明する。
[構成]
図１は建物の一部である居室１を概略的に説明する説明図である。この居室（建物内空間）１は、方形状の床２と、床２の４辺から立ち上がる４つの壁３，４，５，６と、壁３，４，５，６上の天井７を有する。
【００２６】
この床２と壁３，４，５，６とが交差するコーナには床側入隅８，９，１０，１１がそれぞれ形成され、壁３，４，５，６の隣接するもの同士の交差するコーナには壁側入隅１２，１３，１４，１５がそれぞれ形成され、壁３，４，５，６と天井７とが交差するコーナには天井側入隅１６，１７，１８，１９がそれぞれ形成されている。
【００２７】
この天井側入隅１６，１７，１８，１９には、図２に示したように建物用建材である廻り縁２０，２１，２２，２３がそれぞれ配設されている。しかも、図３に示したように、廻り縁２０は直列に接続された複数の分割廻り縁２０ａ〜２０ｃ（図４，図５参照）を備えており、廻り縁２１は直列に接続された複数の分割廻り縁２１ａ〜２１ｅを備えている。また、廻り縁２２は直列に接続された複数の分割廻り縁２２ａ〜２２ｅを備えており、廻り縁２３は直列に接続された複数の分割廻り縁２３ａ〜２３ｃを備えている。更に、分割廻り縁２０ａ〜２０ｃ，２１ｂ〜２１ｄ，２２ｂ〜２２ｄ，２３ａ〜２３ｃは図６に示したようにビスＢ１，Ｂ２により天井７及び壁３（４，５，６）に取り付けられている。尚、分割廻り縁２１ａ，２１ｅ，２２ａ，２２ｅも同様にビス（図示せず）で天井７及び壁３（４，５，６）に取り付けられている。
【００２８】
また、分割廻り縁２０ａ〜２０ｃ，２１ａ〜２１ｅ，２２ａ〜２２ｅ，２３ａ〜２３ｃは、木分を１〜数％加えたＡＢＳ樹脂を押し出し成形することにより、筒状に形成されている。しかも、分割廻り縁２０ａ〜２０ｃ，２１ａ〜２１ｅ，２２ａ〜２２ｅ，２３ａ〜２３ｃの両端は、連結部材２４（図５参照）で閉成されている。そして、分割廻り縁２０ａ〜２０ｃ，２１ｂ〜２１ｄ，２２ｂ〜２２ｄ，２３ａ〜２３ｃはスピーカーボックスとして用いられるようになっている。
【００２９】
更に、図３，図６に示したように、スピーカーボックスとしての分割廻り縁２０ａ〜２０ｃにはスピーカーａ１〜ａ３がそれぞれ取り付けられ、スピーカーボックスとしての分割廻り縁２１ｂ〜２１ｄにはスピーカーｂ１〜ｂ３がそれぞれ取り付けられている。また、スピーカーボックスとしての分割廻り縁２２ｂ〜２２ｄにはスピーカーｃ１〜ｃ３がそれぞれ取り付けられ、スピーカーボックスとしての分割廻り縁２３ａ〜２３ｃにはスピーカーｄ１〜ｄ３がそれぞれ取り付けられている。
【００３０】
この分割廻り縁２０ａ〜２０ｃ，２１ｂ〜２１ｄ，２２ｂ〜２２ｄ，２３ａ〜２３ｃは、図６に示したように居室１側のスピーカー取付板部２５がカバー２６で覆われている。これにより、スピーカーａ１〜ａ３，ｂ１〜ｂ３，ｃ１〜ｃ３，ｄ１〜ｄ３がカバー２６で覆われて、室内美観が損なわれるのを防止している。
【００３１】
また、壁３には図１，図２に示したように薄型の壁掛け式のモニターテレビ（映像ユニット）ＭＴｖが取り付けられ、居室１の中央には図２に示したようにモニターテレビＭＴｖを鑑賞するときに用いる椅子２７が配設されている。
【００３２】
（図示しない）映像信号再生装置からは、モニターテレビＭＴｖへ映像信号が出力され、音源ユニット２８へ映像信号に同期した多チャンネル音声信号を出力される。音源ユニット２８は、多チャンネル音声信号を受けてデコードし、増幅する多チャンネル音源（図示せず）を含む。音源ユニット２８の多チャンネル音源は、図７に示したような接続切換ボックス（接続切替手段）２９を介してスピーカーａ１〜ａ３，ｂ１〜ｂ３，ｃ１〜ｃ３，ｄ１〜ｄ３の幾つかに配線接続される。
＜接続切換ボックス２９＞
（接続端子）
この図７に示した接続切換ボックス２９の一側面２９ａには、図８（ａ）に示した音源接続端子Ｓ１（＋），Ｓ１（−）〜Ｓ１２（＋），Ｓ１２（−）等の入力側端子列２９ｃが設けられている。
【００３３】
また、接続切換ボックス２９の一側面２９ａとは反対側の側面２９ｂには、図８（ｃ）に示したスピーカー接続端子Ｔａ１（＋），Ｔａ１（−）〜Ｔａ３（＋），Ｔａ３（−），Ｔｂ１（＋），Ｔｂ１（−）〜Ｔｂ３（＋），Ｔｂ３（−），Ｔｃ１（＋），Ｔｃ１（−）〜Ｔｃ３（＋），Ｔｃ３（−），Ｔｄ１（＋），Ｔｄ１（−）〜Ｔｄ３（＋），Ｔｄ３（−）等の出力側端子列２９ｄが設けられている。
【００３４】
そして、音源接続端子Ｓ１（＋），Ｓ１（−）は、音源ユニット２８からの左前側音声信号が入力されるように、音源ユニット２８と接続される。音源接続端子Ｓ２（＋），Ｓ２（−）は、音源ユニット２８からの前側中央音声信号が入力されるように、音源ユニット２８と接続される。音源接続端子Ｓ３（＋），Ｓ３（−）は、音源ユニット２８からの右前側音声信号が入力されるように、音源ユニット２８と接続される。
【００３５】
また、音源接続端子Ｓ４（＋），Ｓ４（−）は、音源ユニット２８からの左側方音声信号が入力されるように、音源ユニット２８と接続される。音源接続端子Ｓ５（＋），Ｓ５（−）は、音源ユニット２８からの右側方音声信号が入力されるように、音源ユニット２８と接続される。
【００３６】
更に、音源接続端子Ｓ６（＋），Ｓ６（−）は、音源ユニット２８からの左後方音声信号が入力されるように、音源ユニット２８と接続される。音源接続端子Ｓ７（＋），Ｓ７（−）は、音源ユニット２８からの右後方音声信号が入力されるように接続されるように、音源ユニット２８と接続される。
【００３７】
また、スピーカー接続端子Ｔａ１（＋），Ｔａ１（−）〜Ｔａ３（＋），Ｔａ３（−）にはスピーカーａ１〜ａ３の図示しない＋，−端子がそれぞれ接続され、スピーカー接続端子Ｔｂ１（＋），Ｔｂ１（−）〜Ｔｂ３（＋），Ｔｂ３（−）にはスピーカーｂ１〜ｂ３の図示しない＋，−端子がそれぞれ接続される。また、スピーカー接続端子Ｔｃ１（＋），Ｔｃ１（−）〜Ｔｃ３（＋），Ｔｃ３（−）にはスピーカーｃ１〜ｃ３の図示しない＋，−端子がそれぞれ接続され、スピーカー接続端子Ｔｄ１（＋），Ｔｄ１（−）〜Ｔｄ３（＋），Ｔｄ３（−）にはスピーカーｄ１〜ｄ３の図示しない＋，−端子がそれぞれ接続される。
（端子基板）
更に、接続切換ボックス２９の上部には図示を省略した開口が設けられ、この開口は蓋３０により閉成されている。この蓋３０は、図示を省略したビス等で接続切換ボックス２９の上部に着脱可能に取り付けられている。しかも、この蓋３０を取り外すことにより図８（ｂ）に示した端子基板３１が露出するようになっている。この端子基板３１の一側部には、音源側接点Ｌ（＋，−），Ｃ（＋，−），Ｒ（＋，−），Ｌｓ（＋，−），Ｒｓ（＋，−），ＬＢ（＋，−），ＲＢ（＋，−）等の入力側接点列３２が設けられている。
【００３８】
また、端子基板３１の他側部には、スピーカー側接点ａ１（＋），ａ１（−）〜ａ３（＋），ａ３（−），ｂ１（＋），ｂ１（−）〜ｂ３（＋），ｂ３（−），ｃ１（＋），ｃ１（−）〜ｃ３（＋），ｃ３（−），ｄ１（＋），ｄ１（−）〜ｄ３（＋），ｄ３（−）等の出力側接点列３３が設けられている。
【００３９】
このような入力側接点列３２と上述した入力側端子列２９ｃや、出力側接点列３３と出力側端子列２９ｄは図示を省略したコネクタで着脱可能に接続される。この接続は次のようになっている。
【００４０】
即ち、音源接続端子Ｓ１（＋），Ｓ１（−）には音源側接点Ｌ（＋，−）が接続され、音源接続端子Ｓ２（＋），Ｓ２（−）には音源側接点Ｃ（＋，−）が接続され、音源接続端子Ｓ３（＋），Ｓ３（−）には音源側接点Ｒ（＋，−）が接続されている。また、音源接続端子Ｓ４（＋），Ｓ４（−）には音源側接点Ｌｓ（＋，−）が接続され、音源接続端子Ｓ５（＋），Ｓ  ５（−）には音源側接点Ｒｓ（＋，−）が接続されている。更に、音源接続端子Ｓ６（＋），Ｓ６（−）には音源側接点ＬＢ（＋，−）が接続され、音源接続端子Ｓ７（＋），Ｓ７（−）には音源側接点ＲＢ（＋，−）が接続されている。
【００４１】
また、スピーカー接続端子Ｔａ１（＋），Ｔａ１（−）〜Ｔａ３（＋），Ｔａ３（−）にはスピーカー側接点ａ１（＋），ａ１（−）〜ａ３（＋），ａ３（−）がそれぞれ接続されている。スピーカー接続端子Ｔｂ１（＋），Ｔｂ１（−）〜Ｔｂ３（＋），Ｔｂ３（−）にはスピーカー側接点ｂ１（＋），ｂ１（−）〜ｂ３（＋），ｂ３（−）がそれぞれ接続されている。スピーカー接続端子Ｔｃ１（＋），Ｔｃ１（−）〜Ｔｃ３（＋），Ｔｃ３（−）にはスピーカー側接点ｃ１（＋），ｃ１（−）〜ｃ３（＋），ｃ３（−）が接続されている。スピーカー接続端子Ｔｄ１（＋），Ｔｄ１（−）〜Ｔｄ３（＋），Ｔｄ３（−）にはスピーカー側接点ｄ１（＋），ｄ１（−）〜ｄ３（＋），ｄ３（−）が接続されている。
（接続基板）
また、蓋３０の裏面の所定位置には図９に示した接続基板３４がビス（図示せず）等で着脱可能に取り付けられる。このアサイン回路としての接続基板３４には、図９に示したようにパターン配線Ｐ１（＋），Ｐ１（−）〜Ｐ７（＋），Ｐ７（−）が接続回路としてプリントされている（図１０参照）。
【００４２】
このパターン配線Ｐ１（＋），Ｐ１（−）の一端には接点ＰＬ（＋，−）が設けられ、パターン配線Ｐ１（＋），Ｐ１（−）の他端には接点Ｌａ１（＋），Ｌａ１（−）が設けられている。
【００４３】
パターン配線Ｐ２（＋），Ｐ２（−）の一端には接点ＰＣ（＋，−）が設けられ、パターン配線Ｐ２（＋），Ｐ２（−）の他端には接点Ｌａ２（＋），Ｌａ２（−）が設けられている。
【００４４】
パターン配線Ｐ３（＋），Ｐ３（−）の一端には接点ＰＲ（＋，−）が設けられ、パターン配線Ｐ３（＋），Ｐ３（−）の他端には接点Ｌａ３（＋），Ｌａ３（−）が設けられている。
【００４５】
パターン配線Ｐ４（＋），Ｐ４（−）の一端には接点ＰＬｓ（＋，−）が設けられ、パターン配線Ｐ４（＋），Ｐ４（−）の他端には接点Ｌｃ２（＋），Ｌｃ２（−）が設けられている。
【００４６】
パターン配線Ｐ５（＋），Ｐ５（−）の一端には接点ＰＲｓ（＋，−）が設けられ、パターン配線Ｐ５（＋），Ｐ５（−）の他端には接点Ｌｂ２（＋），Ｌｂ２（−）が設けられている。
【００４７】
パターン配線Ｐ６（＋），Ｐ６（−）の一端には接点ＰＬＢ（＋，−）が設けられ、パターン配線Ｐ６（＋），Ｐ６（−）の他端には接点Ｌｄ１（＋），Ｌｄ１（−）が設けられている。
【００４８】
パターン配線Ｐ７（＋），Ｐ７（−）の一端には接点ＰＲＢ（＋，−）が設けられ、パターン配線Ｐ７（＋），Ｐ７（−）の他端には接点Ｌｄ３（＋），Ｌｄ３（−）が設けられている。
【００４９】
また、使用しないスピーカーのための接点Ｌｂ１（＋），Ｌｂ１（−）、接点Ｌｂ３（＋），Ｌｂ３（−）、接点Ｌｃ１（＋），Ｌｃ１（−）、接点Ｌｃ３（＋），Ｌｃ３（−）、接点Ｌｄ２（＋），Ｌｄ２（−）等は短絡回路としてのパターン配線Ｐ８〜Ｐ１２でそれぞれ短絡（ショート）させている。これは、スピーカーａ１〜ａ３，ｂ２，ｃ２，ｄ１，ｄ３が動作したときの音波によってスピーカーｂ１，ｂ３，ｃ１，ｃ３，ｄ２等が振動して、不要な音が発生するのを防止するためである。
【００５０】
このように接続基板３４の一側部には、接点ＰＬ（＋，−），ＰＣ（＋，−），ＰＲ（＋，−），ＰＬｓ（＋，−），ＰＲｓ（＋，−），ＰＬＢ（＋，−），ＰＲＢ（＋，−）等の入力側接点列３５が設けられている。また、接続基板３４の他側部には、接点Ｌａ１（＋），Ｌａ１（−）〜Ｌａ３（＋），Ｌａ３（−）、接点Ｌｂ１（＋），Ｌｂ１（−）〜Ｌｂ３（＋），Ｌｂ３（−）、接点Ｌｃ１（＋），Ｌｃ１（−）〜Ｌｃ３（＋），Ｌｃ３（−）、接点Ｌｄ１（＋），Ｌｄ１（−）〜Ｌｄ３（＋），Ｌｄ３（−）等の出力側接点列３６が設けられている。
【００５１】
そして、このような接続基板３４を蓋３０の裏面の所定位置に取り付けた状態で、蓋３０を接続切換ボックス２９の上部に取り付けることにより、接続基板３４の入力側接点列３５が端子基板３１の入力側接点列３２に押し付けられると共に、接続基板３４の出力側接点列３６が端子基板３１の出力側接点列３３に押し付けられる。これにより、音源ユニット２８とスピーカーａ１〜ａ３，ｂ２，ｃ２，ｄ１，ｄ３が接続される。
【００５２】
そして、利用者が図２の椅子２７に着座した状態では、利用者は図３のＬａの位置で矢印Ａ方向のモニターテレビＭＴｖを鑑賞することになる。この鑑賞に際しての音声再生時には、スピーカーａ１から左前側の音声が再生され、スピーカーａ２から前側中央の音声が再生され、スピーカーａ３から右前側の音声が再生される。また、スピーカーｂ２，ｃ２からは左右からの音声が再生され、スピーカーｄ１，ｄ３からは左右後方からの音声が再生される。このように図３のＬａの位置の利用者は、７チャンネルのスピーカーａ１，ａ２，ａ３，ｂ２，ｃ２，ｄ１，ｄ３からの再生音を聞きながら、モニターテレビＭＴｖの映像を鑑賞することができる。
【００５３】
ところで、例えば図１１に示したようにモニターテレビＭＴｖを居室１の右側のコーナ付近に配置換えしたり、図１２に示したようにモニターテレビＭＴｖを居室１の右側の壁４付近に配置換えしたりしたい場合、モニターテレビＭＴｖがある側が前側となるようにスピーカーａ１〜ｄ３への接続を切り換えれば良い。この場合、上述した接続基板３４のパターン配線がモニターテレビＭＴｖのある場所を基準に切り換えればよい。
【００５４】
例えば図１１の場合には、利用者はＬｅの位置において矢印Ｅ方向のモニターテレビＭＴｖを鑑賞することになる。この際、スピーカーａ２から左前側からの音声が再生され、スピーカーａ３から前側中央からの音声が再生され、スピーカーｂ１から右前側からの音声が再生され、スピーカーｃ１，ｂ３から左右からの音声がそれぞれ再生され、スピーカーｃ２，ｄ１から左右後方からの音声がそれぞれ再生されるように接続すればよい。このようなパターン配線を有する接続基板を用意しておいて、上述した接続基板３４に代えて蓋３０に取り付ければ、モニターテレビＭＴｖを居室１の右側のコーナ付近に配置したときに容易に対応できる。
【００５５】
また、図１２の場合には、利用者はＬｂの位置において矢印Ｂ方向のモニターテレビＭＴｖを鑑賞することになる。この際、スピーカーｂ１から左前側からの音声が再生され、スピーカーｂ２から前側中央からの音声が再生され、スピーカーｂ３から右前側からの音声が再生され、スピーカーａ２，ｄ２から左右からの音声がそれぞれ再生され、スピーカーｃ１，ｃ３から左右後方からの音声がそれぞれ再生されるように接続すればよい。このようなパターン配線を有する接続基板を用意しておいて、上述した接続基板３４に代えて蓋３０に取り付ければ、モニターテレビＭＴｖを壁４の付近に配置したときに容易に対応できる。
【００５６】
尚、図３，図１１，図１２とはモニターテレビＭＴｖの一配置例を示したもので、この配置以外の場合の配置にも対応できるよう、接続基板を複数作成して用意しておくことで、モニターテレビＭＴｖの配置を換えても、モニターテレビＭＴｖを基準として音声を再生することができるようにスピーカーシステムを迅速且つ容易に対応させることができる。
【００５７】
なお、映像信号を伴わない多チャンネル音声信号の場合であっても、聴取者が座る椅子２７が向く正面の方向から前側中央からの音声が再生されるように、椅子２７の配置に応じて、スピーカーシステムを容易に対応させることができる。
【００５８】
また、このスピーカーシステムで用いられる映像ユニットとしてはモニターテレビＭＴｖ限らず、スクリーンを用いた映像表示装置等であってもよい。更に、この発明に係るスピーカーシステムは廻り縁２０〜２３に適用した例を示したが、これに限定されず、床と壁とのコーナに設けられる巾木に適用しても良い。また、廻り縁２０〜２３及び巾木の両方に同時に適用することもできる。
（変形例）
また、図１３に示したように、左のスピーカーｃ２，ｃ３の中間と右のスピーカーｂ２，ｂ３の中間との間の位置Ｌａに椅子等を配置して、利用者が映像ユニットにより映像を視聴する場合や音楽等を楽しむ場合には、左のスピーカーｃ２，ｃ３を並列接続して、スピーカーｃ２，ｃ３の間に仮想音源Ｃを設けると共に、右のスピーカーｂ２，ｂ３を並列接続して、スピーカーｂ２，ｂ３の間に仮想音源Ｂを設けた構成とすると良い。
【００５９】
この場合、利用者は、位置Ｌａの真横にスピーカーがなくても、仮想音源Ｃがスピーカーｃ２，ｃ３の間に、仮想音源Ｂがスピーカーｂ２，ｂ３の間にある状態となるので、臨場感ある音を再現できることになる。
（その他）
尚、上述した実施例では、パターン配線が設けられた接続基板３４を利用して、端子基板３１の入力側接点列３２と出力側接点列３３とを接続し、音源ユニット２８とスピーカーａ１〜ａ３，ｂ２，ｃ２，ｄ１，ｄ３を接続するようにしたが、必ずしもこれに限定されるものではない。
【００６０】
例えば、端子基板３１の入力側接点列３２と出力側接点列３３とを接続する複数のアサイン回路を設けて、これらの複数のアサイン回路による入力側接点列３２と出力側接点列３３との接続状態を切り替えるスイッチを設けた構成としても良い。
【００６１】
また、入力側接点列３２と出力側接点列３３の各接点にそれぞれソケットを設けて、複数のコネクタケーブルのコネクタを入力側接点列３２と出力側接点列３３のソケットに選択的に接続することにより、入力側接点列３２と出力側接点列３３との接続状態を切り替えるようにしても良い。この場合には、複数のコネクタケーブルがアサイン回路を構成することになる。
【００６２】
以上説明したように、スピーカーシステムは、建物の居室１の周囲に間隔をおいて配設された複数のスピーカーａ１〜ｄ３と、前記居室１に配設された映像ユニット（モニターテレビＭＴｖ）の映像信号に同期する多チャンネル音源（音源ユニット２８）と前記複数のスピーカーａ１〜ｄ３を切り替え接続する音源接続ユニット（接続切換ボックス２９）とを備えている。しかも、このスピーカーシステムの前記音源接続ユニット（接続切換ボックス２９）は、前記多チャンネル音源（音源ユニット２８）からの多チャンネル用の複数の音声信号がそれぞれ入力される複数の音源側接続端子Ｓ１（＋），Ｓ１（−）〜Ｓ７（＋），Ｓ７（−）と、前記複数のスピーカーａ１〜ｄ３に前記複数の音声信号を分配するスピーカー側接続端子Ｔａ１（＋），Ｔａ１（−）〜Ｔｄ３（＋），Ｔｄ３（−）を備えている。また、前記音源側接続端子Ｓ１（＋），Ｓ１（−）〜Ｓ７（＋），Ｓ７（−）と前記スピーカー側接続端子Ｔａ１（＋），Ｔａ１（−）〜Ｔｄ３（＋），Ｔｄ３（−）とを前記映像ユニット（モニターテレビＭＴｖ）の前記居室１内の配置に応じて接続するパターン（パターン配線Ｐ１（＋），Ｐ７（−））が設けられた複数の接続基板３４が設けられ、前記音源側接続端子Ｓ１（＋），Ｓ１（−）〜Ｓ７（＋），Ｓ７（−）と前記スピーカー側接続端子Ｔａ１（＋），Ｔａ１（−）〜Ｔｄ３（＋），Ｔｄ３（−）とが前記映像ユニット（モニターテレビＭＴｖ）の前記居室１内の配置に対応して前記接続基板３４の一つを用いて接続されている。
【００６３】
この構成によれば、音源側接続端子とスピーカー側接続端子とを映像ユニットの居室内の配置に応じて接続するパターンが設けられた複数の接続基板が設けられているので、モニターテレビ等の映像ユニットの配置が変わってもスピーカーの取り付け取り外し等を必要とせず、複数の接続基板のうち映像ユニットの居室内の配置に対応するスピーカーの配置が最適なものを選択して、この選択した接続基板を用いて音源側接続端子とスピーカー側接続端子とを接続することにより、映像ユニットに対するスピーカーの最適な再配置を簡易に行うことができる。
【００６４】
以上説明したように、この発明の実施の形態のスピーカーシステムは、建物の居室の周囲に間隔をおいて配設された複数ｍ個のスピーカーと、前記複数ｍよりも少ない複数ｎチャンネルを含み且つ前記居室に配設された多チャンネル音源（音源ユニット２８の多チャンネル音源）と前記複数ｍ個のスピーカーとを切り替え接続する音源接続ユニット（接続切換ボックス２９）とを備えている。しかも、前記音源接続ユニット（接続切換ボックス２９）は、前記多チャンネル音源からの複数ｎ多チャンネル用の複数の音声信号がそれぞれ入力される複数ｎ組の複数の音源側接続端子[Ｓ１（＋），Ｓ１（−）〜Ｓ７（＋），Ｓ７（−）]と、前記複数ｍ個のスピーカーに前記複数の音声信号を分配する複数ｍ組のスピーカー側接続端子[Ｔａ１（＋），Ｔａ１（−）〜Ｔｄ３（＋），Ｔｄ３（−）]と、前記音源側接続端子[Ｓ１（＋），Ｓ１（−）〜Ｓ７（＋），Ｓ７（−）]と前記スピーカー側接続端子[Ｔａ１（＋），Ｔａ１（−）〜Ｔｄ３（＋），Ｔｄ３（−）]の複数ｘ個（ｘは複数ｎ個以上で複数ｍ個以下）を接続して複数ｘ個のスピーカー[ａ１〜ｄ３の幾つか）を特定する接続回路[接続基板３４に設けられたパターン配線Ｐ１（＋），Ｐ７（−）]を含むアサイン回路と、を備えている。
【００６５】
この構成によれば、音源側接続端子とスピーカー側接続端子とを居室内の視聴位置に応じて接続するパターンが設けられたアサイン回路が設けられているので、視聴位置（Ｌａ，Ｌｂ，Ｌｅ等）が変わってもスピーカーの取り付け取り外し等を必要とせず、視聴位置（Ｌａ，Ｌｂ，Ｌｅ等）に対応するスピーカーの配置が最適なアサイン回路を用いて音源側接続端子とスピーカー側接続端子とを接続することにより、視聴位置（Ｌａ，Ｌｂ，Ｌｅ等）に対するスピーカーの最適な再配置を簡易に行うことができる。
【００６６】
また、この発明の実施の形態のスピーカーシステムの前記アサイン回路は、前記音源側接続端子[Ｓ１（＋），Ｓ１（−）〜Ｓ７（＋），Ｓ７（−）]と前記スピーカー側接続端子[Ｔａ１（＋），Ｔａ１（−）〜Ｔｄ３（＋），Ｔｄ３（−）]とを前記居室内の視聴位置（Ｌａ，Ｌｂ，Ｌｅ等）に応じて接続する接続回路を有するパターン[パターン配線Ｐ１（＋），Ｐ７（−）]が設けられた複数の接続基板３４を有する。
【００６７】
この構成によれば、音源側接続端子とスピーカー側接続端子とを視聴位置に応じて接続するパターンが設けられた接続基板３４が設けられているので、視聴位置（Ｌａ，Ｌｂ，Ｌｅ等）が変わってもスピーカーの取り付け取り外し等を必要とせず、視聴位置（Ｌａ，Ｌｂ，Ｌｅ等）に対応するスピーカーの配置が最適なアサイン回路を用いて音源側接続端子とスピーカー側接続端子とを接続することにより、視聴位置（Ｌａ，Ｌｂ，Ｌｅ等）に対するスピーカーの最適な再配置を簡易に行うことができる。
【００６８】
また、この発明の実施の形態のスピーカーシステムは、前記複数ｘが前記複数ｍよりも小さい場合に、前記音源接続ユニット（接続切換ボックス２９）の前記アサイン回路が、複数（ｍ−ｘ）組の前記スピーカー側接続端子[Ｔａ１（＋），Ｔａ１（−）〜Ｔｄ３（＋），Ｔｄ３（−）]を短絡する短絡回路（パターン配線Ｐ８〜Ｐ１２）をさらに有する。
【００６９】
この構成によれば、使用していないスピーカーはスピーカー側接続端子（＋−端子）が短絡しているので、使用するスピーカーが動作したときの音波によって使用していないスピーカー等が振動するのを未然に防止して、不要な音が発生するのを防止できる。
【００７０】
更に、この発明の実施の形態のスピーカーシステムは、前記音源接続ユニット（接続切換ボックス２９）が、前記居室内の配置に応じた複数の前記アサイン回路を有し、前記複数の前記アサイン回路を切り換える切換手段[接続基板３４，アサイン回路の切替スイッチ（図示せず）、音源側接続端子とスピーカー側接続端子とを接続する複数の接続コード等）を備えることを特徴とする。
【００７１】
この構成によれば、前記居室内の配置に応じた複数の前記アサイン回路を有し、前記複数の前記アサイン回路を切り換える切換手段を有する構成としたので、視聴位置（Ｌａ，Ｌｂ，Ｌｅ等）が変わってもスピーカーの取り付け取り外し等を必要とせず、視聴位置（Ｌａ，Ｌｂ，Ｌｅ等）に対するスピーカーの最適な再配置を簡易に行うことができる。
【００７２】
また、この発明の実施の形態のスピーカーシステムの前記音源接続ユニットの前記アサイン回路を、前記接続回路[パターン配線Ｐ１（＋），Ｐ７（−）]ならびに前記ショート回路（パターン配線Ｐ８〜Ｐ１２）が構成された接続基板３４としている。
【００７３】
この構成によれば、前記音源接続ユニットの前記アサイン回路が、前記接続回路ならびに前記ショート回路が構成された接続基板に設けられている構成としたので、異なるアサイン回路が設けられた複数の接続基板３４を用意しておいて、視聴位置（Ｌａ，Ｌｂ，Ｌｅ等）が変わってもスピーカーの取り付け取り外し等を必要とせず、視聴位置（Ｌａ，Ｌｂ，Ｌｅ等）に対応するスピーカーの配置が最適なアサイン回路を有する接続基板３４を用いて音源側接続端子とスピーカー側接続端子とを接続することにより、視聴位置（Ｌａ，Ｌｂ，Ｌｅ等）に対するスピーカーの最適な再配置を簡易に行うことができる。
【００７４】
また、この発明の実施の形態のスピーカーシステムの前記スピーカーは、建物の天井側入隅（１６〜１９）に沿って配設されている構成としている。
【００７５】
この構成によれば、前記スピーカーは建物の天井側入隅（１６〜１９）に沿って配設されているので、スピーカーを廻り縁（２０〜２３）内に配設することにより、美観を損なうことなくスピーカーを居室内に設けることができる。
【００７６】
また、この発明の実施の形態のスピーカーシステムの前記スピーカーは、建物の床側入隅（８〜１１）に沿って配設されている構成としている。
【００７７】
この構成によれば、前記スピーカーは建物の床側入隅に沿って配設されているので、スピーカーを巾木内に配設することにより、美観を損なうことなくスピーカーを居室内に設けることができる。
【００７８】
以上、図面を参照して本発明の実施例を詳述してきたが、具体的な構成は成就他実施例に限らず、本発明の要旨を逸脱しない程度の設計的変更は、本発明に含まれる。
【図面の簡単な説明】
【００７９】
【図１】この発明にかかるスピーカーシステムを適用するための住宅等の建物の居室の説明図である。
【図２】この発明に係るスピーカーシステムを図１の居室に適用した例を示す概略説明図である。
【図３】図２のスピーカーシステムの複数のスピーカーの使用例を示す作用説明図である。
【図４】図２のスピーカーシステムを室内から見た部分斜視図である。
【図５】図４の廻り縁の一部の部分拡大説明図である。
【図６】図５のスピーカーシステムの一部を断面して示した断面図である。
【図７】図２の接続切換ボックスの斜視図である。
【図８】（ａ）は図７の一側面に設けられた音源側接続端子の説明図、（ｂ）は図７の接続切換ボックス内の端子基板の説明図、（ｃ）は図７の他側面に設けられたスピーカー側接続端子の説明図である。
【図９】図８（ｂ）の端子基板の音源側接続端子とスピーカー側接続端子との接続を行うためのパターン配線を有する接続基板の説明図である。
【図１０】図９の接続基板による音源側接続端子とスピーカー側接続端子との接続状態の説明図である。
【図１１】図３のスピーカーシステムにおける複数のスピーカー他の使用例を示す説明図である。
【図１２】図３のスピーカーシステムにおける複数のスピーカー更に他の使用例を示す説明図である。
【図１３】図３のスピーカーシステムにおける複数のスピーカー更に他の使用例を示す説明図である。
【符号の説明】
【００８０】
１…居室
２６…モニターテレビ映像（ユニット）
２８…音源ユニット（多チャンネル音源）
２９…接続切換ボックス（音源接続ユニット）
３４…接続基板
ａ１〜ａ３…スピーカー
ｂ１〜ｂ３…スピーカー
ｃ１〜ｃ３…スピーカー
ｄ１〜ｄ３…スピーカー
Ｌａ，Ｌｂ，Ｌｅ…視聴位置
Ｓ１（＋），Ｓ１（−）…音源側接続端子
Ｓ２（＋），Ｓ２（−）…音源側接続端子
Ｓ３（＋），Ｓ３（−）…音源側接続端子
Ｓ４（＋），Ｓ４（−）…音源側接続端子
Ｓ５（＋），Ｓ５（−）…音源側接続端子
Ｓ６（＋），Ｓ６（−）…音源側接続端子
Ｓ７（＋），Ｓ７（−）…音源側接続端子
Ｔａ１（＋），Ｔａ１（−）…スピーカー側接続端子
Ｔａ２（＋），Ｔａ２（−）…スピーカー側接続端子
Ｔａ３（＋），Ｔａ３（−）…スピーカー側接続端子
Ｔｂ１（＋），Ｔｂ１（−）…スピーカー側接続端子
Ｔｂ２（＋），Ｔｂ２（−）…スピーカー側接続端子
Ｔｂ３（＋），Ｔｂ３（−）…スピーカー側接続端子
Ｔｃ１（＋），Ｔｃ１（−）…スピーカー側接続端子
Ｔｃ２（＋），Ｔｃ２（−）…スピーカー側接続端子
Ｔｃ３（＋），Ｔｃ３（−）…スピーカー側接続端子
Ｔｄ１（＋），Ｔｄ１（−）…スピーカー側接続端子
Ｔｄ２（＋），Ｔｄ２（−）…スピーカー側接続端子
Ｔｄ３（＋），Ｔｄ３（−）…スピーカー側接続端子
Ｐ１（＋），Ｐ７（−）…配線パターン（アサイン回路）
Ｐ６〜Ｐ１２…配線パターン（短絡回路）
【図１】
2007104391.tif 000003
【図２】
2007104391.tif 000004
【図３】
2007104391.tif 000005
【図４】
2007104391.tif 000006
【図５】
2007104391.tif 000007
【図６】
2007104391.tif 000008
【図７】
2007104391.tif 000009
【図８】
2007104391.tif 000010
【図９】
2007104391.tif 000011
【図１０】
2007104391.tif 000012
【図１１】
2007104391.tif 000013
【図１２】
2007104391.tif 000014
【図１３】
2007104391.tif 000015